(57)【要約】【課題】異なる充電方式毎に携帯機器を容易に作り分けることができたり、対応可能な充電方式を容易に変更できたりする携帯機器、携帯機器の機器本体、充電電力供給ユニットを提供する。【解決手段】携帯電話機１００は、蓄電池Ｂを装着可能な蓄電池装着部１３３と、蓄電池Ｂに対する充電を行う充電回路１３２と、充電回路１３２に電気的に接続された端子であって、充電回路１３２による充電動作に必要な電力である充電電力を入力可能な受電端子１３１と、を備える機器本体１３０と、受電端子１３１に接続されて充電電力を給電可能な給電端子１４３を有し、給電端子１４３へ充電電力を供給する裏面側外装１２０とを備える。【選択図】図４
2014064408.tif 000002
【特許請求の範囲】
【請求項１】
蓄電池を装着可能な蓄電池装着部と、
前記蓄電池に対する充電を行う充電回路と、
前記充電回路に電気的に接続された端子であって、前記充電回路による充電動作に必要な電力である充電電力を入力可能な受電端子と、
を備える機器本体と、
前記受電端子に接続されて前記充電電力を給電可能な給電端子を有し、前記給電端子へ前記充電電力を供給する充電電力供給ユニットと、
を備える携帯機器。
【請求項２】
請求項１に記載の携帯機器において、
前記機器本体は、前記充電電力の供給方式が異なる複数種類の前記充電電力供給ユニットを選択的に接続可能であること、
を特徴とする携帯機器。
【請求項３】
請求項１又は請求項２に記載の携帯機器において、
前記充電電力供給ユニットは、
外部から非接触で電力を受電する受電部と、
前記受電部により得た電力を前記給電端子へ供給する充電電力に変換する受電回路と、
を備えること、
を特徴とする携帯機器。
【請求項４】
請求項１から請求項３までのいずれか１項に記載の携帯機器において、
前記充電電力供給ユニットは、当該携帯機器の外装部材の一部を構成すること、
を特徴とする携帯機器。
【請求項５】
請求項１から請求項４までのいずれか１項に記載の携帯機器において、
前記充電電力供給ユニットは、前記機器本体に対して着脱自在に設けられていること、
を特徴とする携帯機器。
【請求項６】
請求項１から請求項５までのいずれか１項に記載の携帯機器において、
外部から電力を供給して充電を行うときに、充電ケーブルを接続するための外部接続端子を有し、
前記給電端子は、前記外部接続端子から前記充電回路への配線に電気的に接続していること、
を特徴とする携帯機器。
【請求項７】
蓄電池を装着可能な蓄電池装着部と、
前記蓄電池に対する充電を行う充電回路と、
前記充電回路に電気的に接続された端子であって、前記充電回路による充電動作に必要な電力である充電電力を入力可能な受電端子と、
を備える携帯機器の機器本体。
【請求項８】
携帯機器の機器本体に対して装着されるユニットであって、
携帯機器の機器本体に設けられた受電端子に接続されて前記機器本体に装着された蓄電池の充電に必要な充電電力を給電可能な給電端子を有し、前記給電端子へ前記充電電力を供給する充電電力供給ユニット。
【請求項９】
請求項８に記載の充電電力供給ユニットにおいて、
外部から非接触で電力を受電する受電部と、
前記受電部により得た電力を前記給電端子へ供給する充電電力に変換する受電回路と、
を備えること、
を特徴とする充電電力供給ユニット。
【請求項１０】
請求項８又は請求項９に記載の充電電力供給ユニットにおいて、
前記携帯機器の外装部材の一部を構成すること、
を特徴とする充電電力供給ユニット。
【請求項１１】
請求項８から請求項１０までのいずれか１項に記載の充電電力供給ユニットにおいて、
前記機器本体に対して着脱自在に設けられていること、
を特徴とする充電電力供給ユニット。
【発明の詳細な説明】
【技術分野】
【０００１】
本発明は、携帯電話機等の携帯機器、携帯機器の機器本体、充電電力供給ユニットに関するものである。
【背景技術】
【０００２】
携帯電話機等の携帯可能な機器（以下、携帯機器と呼ぶ）では、充電可能な蓄電池を用いることが一般的である。従来、蓄電池の充電は、配線を接続して行われていた。
また、近年、電磁誘導等を利用した無接点充電が実用化されはじめている。無接点充電の方式には、大きく分けても、現状で互換性のない３種類の方式が有り、今後さらに他の方式が増える可能性もある。各充電方式には、それぞれ、一長一短があり、使用用途に応じて、これらの方式のいずれかが選択されているのが現状である。これらの方式同士には、互換性がないことから、携帯機器と充電器とが同じ方式に準拠していないと、充電を行うことができない。
この不便を解消するために、例えば、特許文献１では、載置された携帯電話の方式に応じてコイルの発信周波数を自動的に設定して、複数種類の被充電機器の方式に対応可能とする無接点充電器を開示している。
【先行技術文献】
【特許文献】
【０００３】
【特許文献１】特開２００５−６４４０号公報
【発明の概要】
【発明が解決しようとする課題】
【０００４】
しかし、特許文献１のような充電器では、携帯機器は、１つの方式にしか対応しておらず、製造メーカ側としては、対応する充電方式毎に、携帯機器を作り分けなければならなかった。また、携帯機器の使用者にとっては、携帯機器を一度購入してしまうと、機器を買い換えないと、他の方式の充電器による充電を行えなかった。
【０００５】
本発明の課題は、異なる充電方式毎に携帯機器を容易に作り分けることができたり、対応可能な充電方式を容易に変更できたりする携帯機器、携帯機器の機器本体、充電電力供給ユニットを提供することである。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）本発明は、蓄電池（Ｂ）を装着可能な蓄電池装着部（１３３）と、前記蓄電池に対する充電を行う充電回路（１３２，２３２）と、前記充電回路に電気的に接続された端子であって、前記充電回路による充電動作に必要な電力である充電電力を入力可能な受電端子（１３１，２３１）と、を備える機器本体（１３０，２３０）と、前記受電端子に接続されて前記充電電力を給電可能な給電端子（１４３，２４３）を有し、前記給電端子へ前記充電電力を供給する充電電力供給ユニット（１２０，１２０−２，２４０，２４０−２）と、を備える携帯機器（１００，２００）を提案している。
【０００８】
この発明によれば、機器本体は、蓄電池を装着可能な蓄電池装着部と、蓄電池に対する充電を行う充電回路と、充電回路に電気的に接続された端子であって、充電回路による充電動作に必要な電力である充電電力を入力可能な受電端子とを備える。充電電力供給ユニットは、受電端子に接続されて充電電力を給電可能な給電端子を有し、給電端子へ前記充電電力を供給する。したがって、携帯機器は、充電電力供給ユニットを交換するだけで、異なる充電方式毎に携帯機器を容易に作り分けることができたり、対応可能な充電方式を容易に変更できたりする。
【０００９】
（２）本発明は、（１）に記載の携帯機器において、前記機器本体（１３０，２３０）は、前記充電電力の供給方式が異なる複数種類の前記充電電力供給ユニット（１２０，１２０−２，２４０，２４０−２）を選択的に接続可能であること、を特徴とする携帯機器（１００，２００）を提案している。
【００１０】
この発明によれば、機器本体は、充電電力の供給方式が異なる複数種類の充電電力供給ユニットを選択的に接続可能である。したがって、携帯機器は、簡単に充電方式を変更できる。
【００１１】
（３）本発明は、（１）又は（２）に記載の携帯機器において、前記充電電力供給ユニット（１２０，１２０−２，２４０，２４０−２）は、外部から非接触で電力を受電する受電部（１４１，１４１−２，２４１，２４１−２）と、前記受電部により得た電力を前記給電端子へ供給する充電電力に変換する受電回路（１４２，１４２−２，２４２，２４２−２）と、を備えること、を特徴とする携帯機器（１００，２００）を提案している。
【００１２】
この発明によれば、充電電力供給ユニットは、外部から非接触で電力を受電する受電部と、受電部により得た電力を前記給電端子へ供給する充電電力に変換する受電回路とを備える。したがって、携帯機器は、対応する非接触充電の方式を簡単に変更できる。
【００１３】
（４）本発明は、（１）から（３）までのいずれか１項に記載の携帯機器において、前記充電電力供給ユニット（１２０，１２０−２）は、当該携帯機器の外装部材の一部を構成すること、を特徴とする携帯機器（１００）を提案している。
【００１４】
この発明によれば、充電電力供給ユニットは、当該携帯機器の外装部材の一部を構成する。したがって、携帯機器は、外装の交換だけで、対応する充電方式を変更できる。また、充電方式を変更しても、外観を損なうことがない。
【００１５】
（５）本発明は、（１）から（４）までのいずれか１項に記載の携帯機器において、前記充電電力供給ユニット（２４２，２４２−２）は、前記機器本体（２３０）に対して着脱自在に設けられていること、を特徴とする携帯機器（２００）を提案している。
【００１６】
この発明によれば、充電電力供給ユニットは、前記機器本体に対して着脱自在に設けられている。したがって、携帯機器は、充電電力供給ユニットの交換を簡単に行える。
【００１７】
（６）本発明は、（１）から（５）までのいずれか１項に記載の携帯機器において、外部から電力を供給して充電を行うときに、充電ケーブルを接続するための外部接続端子（１０５）を有し、前記給電端子（１４３，２４３）は、前記外部接続端子から前記充電回路（１３２，２３２）への配線に電気的に接続していること、を特徴とする携帯機器（１００，２００）を提案している。
【００１８】
この発明によれば、外部接続端子は、外部から電力を供給して充電を行うときに、充電ケーブルを接続するためのものである。給電端子は、前記外部接続端子から前記充電回路への配線に電気的に接続している。したがって、充電ケーブルを接続して充電を行うための回路及び配線と、充電電力供給ユニットから充電を行うための回路及び配線とを、共通で用いることができる。
【００１９】
（７）本発明は、蓄電池を装着可能な蓄電池装着部（１３３）と、前記蓄電池に対する充電を行う充電回路（１３２，２３２）と、前記充電回路に電気的に接続された端子であって、前記充電回路による充電動作に必要な電力である充電電力を入力可能な受電端子（１３１，２３１）と、を備える携帯機器の機器本体（１３０，２３０）を提案している。
【００２０】
この発明によれば、蓄電池装着部は、蓄電池を装着可能である。充電回路は、蓄電池に対する充電を行う。受電端子は、充電回路に電気的に接続された端子であって、充電回路による充電動作に必要な電力である充電電力を入力可能である。したがって、機器本体は、対応する充電電力供給ユニットを交換するだけで、異なる充電方式に対応させることができる。
【００２１】
（８）本発明は、携帯機器（１００，２００）の機器本体（１３０，２３０）に対して装着されるユニットであって、携帯機器の機器本体に設けられた受電端子（１３１，２３１）に接続されて前記機器本体に装着された蓄電池（Ｂ）の充電に必要な充電電力を給電可能な給電端子（１４３，２４３）を有し、前記給電端子へ前記充電電力を供給する充電電力供給ユニット（１２０，１２０−２，２４０，２４０−２）を提案している。
【００２２】
この発明によれば、充電電力供給ユニットは、携帯機器の機器本体に設けられた受電端子に接続されて機器本体に装着された蓄電池の充電に必要な充電電力を給電可能な給電端子を有し、給電端子へ前記充電電力を供給する。したがって、充電電力供給ユニットは、対応する携帯機器に装着されるだけで、携帯機器の対応可能な充電方式を簡単に変更できる。
【００２３】
（９）本発明は、（８）に記載の充電電力供給ユニットにおいて、外部から非接触で電力を受電する受電部（１４１，１４１−２，２４１，２４１−２）と、前記受電部により得た電力を前記給電端子へ供給する充電電力に変換する受電回路（１４２，１４２−２，２４２，２４２−２）と、を備えること、を特徴とする充電電力供給ユニット（１２０，１２０−２，２４０，２４０−２）を提案している。
【００２４】
この発明によれば、受電部は、外部から非接触で電力を受電する。受電回路は、受電部により得た電力を給電端子へ供給する充電電力に変換する。したがって、充電電力供給ユニットは、対応する携帯機器に装着されるだけで、対応する非接触充電の方式を簡単に変更できる。
【００２５】
（１０）本発明は、（８）又は（９）に記載の充電電力供給ユニットにおいて、前記携帯機器（１００，２００）の外装部材の一部を構成すること、を特徴とする充電電力供給ユニット（１２０，１２０−２）を提案している。
【００２６】
この発明によれば、充電電力供給ユニットは、携帯機器の外装部材の一部を構成する。したがって、充電電力供給ユニットは、機器本体へ取り付けられるだけで、携帯機器が対応する充電方式を変更できる。また、充電方式を変更しても、外観を損なうことがない。
【００２７】
（１１）本発明は、（８）から（１０）までのいずれか１項に記載の充電電力供給ユニットにおいて、前記機器本体（２３０）に対して着脱自在に設けられていること、を特徴とする充電電力供給ユニット（２４２，２４２−２）を提案している。
【００２８】
この発明によれば、充電電力供給ユニットは、機器本体に対して着脱自在に設けられている。したがって、充電電力供給ユニットは、機器本体に対して簡単に交換されることができるので、携帯機器の充電方式を容易に変更できる。
【発明の効果】
【００２９】
本発明によれば、携帯機器は、異なる充電方式毎に携帯機器を容易に作り分けることができたり、対応可能な充電方式を容易に変更できたりできる。
【図面の簡単な説明】
【００３０】
【図１】第１実施形態の携帯電話機１００を示す表面側の斜視図である。
【図２】第１実施形態の携帯電話機１００を示す裏面側の斜視図である。
【図３】裏面側外装１２０を取り外した状態を示す裏面側の斜視図である。
【図４】裏面側外装１２０を内面側から見た斜視図である。
【図５】第２実施形態の携帯電話機２００を示す裏面側の斜視図である。
【図６】第２実施形態の携帯電話機２００から充電電力供給ユニット２４０を取り外した状態を示す裏面側の斜視図である。
【発明を実施するための形態】
【００３１】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３２】
（第１実施形態）
図１は、第１実施形態の携帯電話機１００を示す表面側の斜視図である。
なお、図１を含め、以下に示す各図は、模式的に示した図であり、各部の大きさ、形状は、理解を容易にするために、適宜誇張して示している。
以下の説明では、図１中で表示操作部１０１が見えている側の面を表面と呼び、見えていない側の面を裏面と呼ぶ。
【００３３】
携帯電話機１００は、表面側に、表示操作部１０１と、操作キー１０２と、マイク１０３と、レシーバ１０４と、外部接続端子１０５とを備えた携帯機器である。
【００３４】
表示操作部１０１は、タッチパネルにより構成されており、携帯電話機１００の各種情報を表示する表示部としての機能と、数字や文字入力、各種選択等を行うときに操作される操作部としての機能とを有している。
【００３５】
操作キー１０２は、表示操作部１０１を用いなくとも、操作入力を行えるように設けられた操作部材である。
【００３６】
マイク１０３は、通話時の音声を入力するマイクである。
レシーバ１０４は、通話時に音声を発する小型スピーカである。
【００３７】
外部接続端子１０５は、外部から電力を供給して充電を行うときに、不図示の充電ケーブルを接続するための端子である。外部接続端子１０５は、後述する充電回路１３２へ電気的に接続されている。本実施形態の外部接続端子１０５は、ＵＳＢ端子であり、情報通信にも用いられるが、例えば、充電専用のコネクタ等としてもよい。
【００３８】
また、携帯電話機１００は、表面側外装１１０と、裏面側外装１２０とを有している。表面側外装１１０と、裏面側外装１２０とは、後述する機器本体１３０を両側から挟む形態で覆っている。
【００３９】
図２は、第１実施形態の携帯電話機１００を示す裏面側の斜視図である。
携帯電話機１００は、裏面側に、スピーカ１０６と、レンズ部１０７とを備えている。
【００４０】
スピーカ１０６は、着信音を鳴らすときや音楽等を再生するとき等に、携帯電話機１００を耳から遠ざけた状態でも聞こえるように比較的大きな音を発生するスピーカである。
【００４１】
レンズ部１０７は、静止画や動画を撮影するときに用いられるカメラのレンズ部分である。
【００４２】
裏面側外装１２０内には、コイル１４１と、受電回路１４２とが設けられている。
【００４３】
コイル１４１は、外部から非接触で電力を受電する受電部である。具体的には、コイル１４１は、電磁誘導方式により不図示の充電器のコイルから電力を非接触で伝達される。コイル１４１に伝達された電力は、受電回路１４２へ伝えられる。
【００４４】
受電回路１４２は、コイル１４１が受け取った電力を所定の電圧に変圧する等して、後述する給電端子１４３へ供給する充電電力に変換する。
【００４５】
第１実施形態の裏面側外装１２０は、不図示の係合部により機器本体１３０に取り付けられており、この係合部を外すことにより、取り外すことが可能である。
図３は、裏面側外装１２０を取り外した状態を示す裏面側の斜視図である。
裏面側外装１２０を取り外すと、機器本体１３０が露出する。機器本体１３０には、受電端子１３１と、充電回路１３２と、蓄電池装着部１３３とが設けられている。
【００４６】
受電端子１３１は、充電回路１３２に電気的に接続された端子である。受電端子１３１は、後述する給電端子１４３と接触して、充電回路１３２による充電動作に必要な電力である充電電力を給電端子１４３から入力される。また、受電端子１３１は、外部接続端子１０５の電力供給ラインに接続されている。さらに、受電端子１３１は、裏面側へ突出したピンにより形成されており、不図示の付勢部材により裏面側の方向へ付勢されている。よって、後述する給電端子１４３との接触と導通が確実に行える。
【００４７】
充電回路１３２は、受電端子１３１を介して得た電力、又は、外部接続端子１０５を介して得た電力により、蓄電池装着部１３３に装着された蓄電池Ｂに対して充電を行う。充電回路１３２へは、受電端子１３１を介して得た電力と、外部接続端子１０５を介して得た電力とが、同じ配線から入力される。したがって、充電回路１３２は、入力された電力が受電端子１３１を介して得た電力であるのか、外部接続端子１０５を介して得た電力であるのかによって動作を変えることなく、充電動作を行うことができる。
【００４８】
蓄電池装着部１３３は、蓄電池Ｂを装着するスペースである。
【００４９】
図４は、裏面側外装１２０を内面側から見た斜視図である。
裏面側外装１２０の内面には、先に説明したコイル１４１と、受電回路１４２との他に、給電端子１４３が設けられている。
【００５０】
給電端子１４３は、裏面側外装１２０の内面側に設けられており、裏面側外装１２０を機器本体１３０に取り付けたときに、受電端子１３１と接触して導通可能な位置に設けられている。給電端子１４３は、受電回路１４２と接続されており、コイル１４１を介して非接触で受け取った電力を受電端子１３１へ伝えることができる。
【００５１】
このような構成により、裏面側外装１２０は、給電端子１４３へ充電電力を供給する充電電力供給ユニットとしての機能を有している。
【００５２】
本実施形態では、裏面側外装１２０は、充電方式の異なる裏面側外装１２０−２と取り換えることができる。裏面側外装１２０−２は、裏面側外装１２０とは異なる充電方式に対応した、コイル１４１−２と、受電回路１４２−２とを備える他は、裏面側外装１２０と同様である。なお、裏面側外装１２０−２は、対応する充電方式が異なる他は、裏面側外装１２０と同様なので、各図中で括弧内に符号を付して示した。
【００５３】
コイル１４１−２は、外部から非接触で電力を受電する受電部である。具体的には、コイル１４１−２は、磁界共鳴方式により不図示の充電器のコイルから電力を非接触で伝達される。コイル１４１−２に伝達された電力は、受電回路１４２−２へ伝えられる。
【００５４】
受電回路１４２−２は、コイル１４１−２が受け取った電力を所定の電圧に変圧する等して、後述する給電端子１４３へ供給する充電電力に変換する。
【００５５】
受電回路１４２−２が受け取った電力を所定の電圧に変圧するので、給電端子１４３へ供給される電力は、裏面側外装１２０を取り付けた場合と、裏面側外装１２０−２を取り付けた場合とで、差がない。したがって、携帯電話機１００は、裏面側外装を取り換えるだけで、対応する非接触充電の方式を変更できる。
【００５６】
ここで、裏面側外装１２０と裏面側外装１２０−２との交換は、工場における生産時に行うようにしてもよいし、携帯電話機１００の使用者が自ら交換可能としてもよい。また、交換可能な裏面側外装は、上述した例に限らず、例えば、電波共鳴方式により非接触で電力を供給するものをさらに追加してもよいし、今後新たに開発される新しい電力伝達方式に対応した裏面側外装であってもよい。
【００５７】
以上説明したように、第１実施形態によれば、裏面側外装１２０にコイル１４１と、受電回路１４２と、給電端子１４３とを備え、機器本体１３０に受電端子１３１を備えた。よって、裏面側外装１２０を裏面側外装１２０−２に交換するだけで、携帯電話機１００が対応可能な非接触充電の方式を変更できる。この交換を生産工場で行えば、異なる充電方式毎に携帯電話機を容易に作り分けることができる。また、使用者が交換を行えるようにすれば、対応可能な充電方式を容易に変更できる。
【００５８】
（第２実施形態）
図５は、第２実施形態の携帯電話機２００を示す裏面側の斜視図である。
図６は、第２実施形態の携帯電話機２００から充電電力供給ユニット２４０を取り外した状態を示す裏面側の斜視図である。
【００５９】
第２実施形態の携帯電話機２００は、充電電力供給ユニットとしての機能を裏面側外装２２０に設けずに、カード形状の独立したユニットとした点が、第１実施形態の携帯電話機１００と異なる他は、第１実施形態の携帯電話機１００と同様である。よって、前述した第１実施形態と同様の機能を果たす部分には、同一の符号を付して、重複する説明を適宜省略する。
【００６０】
携帯電話機２００の表面側は、第１実施形態の携帯電話機１００と同様である。また、携帯電話機２００の裏面側には、第１実施形態の携帯電話機１００と同様のスピーカ２０６と、レンズ部２０７とを備えている。また、携帯電話機２００は、表面側外装２１０と、裏面側外装２２０とを有している。表面側外装２１０と、裏面側外装２２０とは、機器本体２３０を両側から挟む形態で覆っている。
【００６１】
携帯電話機２００は、裏面側外装２２０と機器本体２３０との間に、充電電力供給ユニット２４０を挿入して保持可能になっている。
充電電力供給ユニット２４０は、裏面側外装２２０と機器本体２３０との間に設けられた空間２２１に挿入するカード形状のユニットである。充電電力供給ユニット２４０内には、コイル２４１と、受電回路２４２とが設けられている。コイル２４１及び受電回路２４２は、それぞれ、第１実施形態のコイル１４１及び受電回路１４２と同様である。また、充電電力供給ユニット２４０は、給電端子２４３をカード端部に備えている。給電端子２４３は、充電電力供給ユニット２４０を空間２２１に挿入して取り付けたときに、受電端子２３１と接触して導通可能な位置に設けられている。給電端子２４３は、受電回路２４２と接続されており、コイル２４１を介して非接触で受け取った電力を受電端子２３１へ伝えることができる。
【００６２】
機器本体２３０には、受電端子２３１と充電回路２３２とが設けられている。
【００６３】
受電端子２３１は、給電端子２４３と対応する位置に設けられており、充電回路２３２に電気的に接続された端子である。
【００６４】
充電回路２３２は、受電端子２３１を介して得た電力、又は、外部接続端子１０５を介して得た電力により、蓄電池装着部１３３に装着された蓄電池Ｂに対して充電を行う。
受電端子２３１及び充電回路２３２のその他の部分については、第１実施形態の受電端子１３１及び充電回路１３２と同様である。
【００６５】
また、本実施形態では、充電電力供給ユニット２４０は、充電方式の異なる充電電力供給ユニット２４０−２と取り換えることができる。充電電力供給ユニット２４０−２は、充電電力供給ユニット２４０とは異なる充電方式に対応した、コイル２４１−２と、受電回路２４２−２とを備える他は、充電電力供給ユニット２４０と同様である。なお、充電電力供給ユニット２４０−２は、対応する充電方式が異なる他は、充電電力供給ユニット２４０と同様なので、各図中で括弧内に符号を付して示した。
【００６６】
コイル２４１−２は、外部から非接触で電力を受電する受電部である。具体的には、コイル２４１−２は、磁界共鳴方式により不図示の充電器のコイルから電力を非接触で伝達される。コイル２４１−２に伝達された電力は、受電回路２４２−２へ伝えられる。
【００６７】
受電回路２４２−２は、コイル２４１−２が受け取った電力を所定の電圧に変圧する等して、後述する給電端子１４３へ供給する充電電力に変換する。
【００６８】
以上説明したように、第２実施形態によれば、充電電力供給ユニット２４０と充電電力供給ユニット２４０−２とを交換することにより、第１実施形態における裏面側外装を交換する場合と同様に、異なる充電方式に対応させることができる。特に、第２実施形態では、充電電力供給ユニット２４０をカード状に形成して、着脱自在としたので、容易に交換可能であり、使用者が簡単に交換することができる。
【００６９】
以上、この発明の実施形態につき、図面を参照して詳述してきたが、具体的な構成はこの実施形態に限られるものではなく、この発明の要旨を逸脱しない範囲の設計等も含まれる。
【００７０】
（変形形態）
（１）各実施形態において、携帯電話機は、非接触充電の方式を変更できる例を挙げて説明した。これに限らず、例えば、充電電力供給ユニットとしては、上述した非接触で電力を伝送する非接触充電方式に対応したものに限らず、例えば、太陽光発電パネルを有し、これにより給電端子へ充電電力を供給するものとしてもよい。
【００７１】
（２）第１実施形態において、裏面側外装１２０は、携帯電話機１００の外装であるが、これに限らず、例えば、外装の上にさらに被せるような形態のいわゆるジャケットのような部材にコイルと受電回路と給電端子とを設けてもよい。
【００７２】
（３）各実施形態において、携帯電話機を例に挙げて説明した。これに限らず、例えば、携帯機器としては、ゲーム機であってもよいし、デジタルカメラやＩＣレコーダ等、どのような機器であってもよい。
【００７３】
なお、各実施形態及び変形形態は、適宜組み合わせて用いることもできるが、詳細な説明は省略する。また、本発明は以上説明した各実施形態によって限定されることはない。
【符号の説明】
【００７４】
Ｂ    蓄電池
１００    携帯電話機
１０１    表示操作部
１０２    操作キー
１０３    マイク
１０４    レシーバ
１０５    外部接続端子
１０６    スピーカ
１０７    レンズ部
１１０    表面側外装
１２０，１２０−２    裏面側外装
１３０    機器本体
１３１    受電端子
１３２    充電回路
１３３    蓄電池装着部
１４１，１４１−２    コイル
１４２，１４２−２    受電回路
１４３    給電端子
２００    携帯電話機
２０６    スピーカ
２０７    レンズ部
２１０    表面側外装
２２０    裏面側外装
２２１    空間
２３０    機器本体
２３１    受電端子
２３２    充電回路
２４０，２４０−２    充電電力供給ユニット
２４１，２４１−２    コイル
２４２，２４２−２    受電回路
２４３    給電端子
【図１】
2014064408.tif 000003
【図２】
2014064408.tif 000004
【図３】
2014064408.tif 000005
【図４】
2014064408.tif 000006
【図５】
2014064408.tif 000007
【図６】
2014064408.tif 000008